(57)【要約】【課題】電気モータとその制御装置とを近接して配置した上で、車室内のスペースを十分に確保可能とする。【解決手段】バッテリ２から電力を供給されて、左右後輪１１、１２の間に配置された電気モータ３により後輪を駆動する電気自動車において、電気モータ３に電力を供給し電気モータ３の駆動制御を行う制御装置２０を、座席１５、１６の下部のフロアパネル１０上に配置する。【選択図】図１
2013159306.tif 000002
【特許請求の範囲】
【請求項１】
バッテリから電力を供給されて、左右後輪の間に配置された電気モータにより後輪を駆動する電気自動車であって、
前記電気モータに電力を供給し当該電気モータの駆動制御を行う制御手段を、座席の下部のフロアパネル上に配置したことを特徴とする電気自動車。
【請求項２】
前記制御手段を覆うカバーを備え、
前記座席の少なくとも一部が前記カバー上に載置され、前記座席が当該カバーによって支持されることを特徴とする請求項１に記載の電気自動車。
【請求項３】
車体の左右下部を前後方向に延びる一対のサイドメンバを備えるとともに、前記座席の下方で左右方向に延び前記一対のサイドメンバ間を接続するクロスメンバを備え、
前記制御手段及び前記カバーの少なくとも一つが、前記クロスメンバに固定されることを特徴とする請求項２に記載の電気自動車。
【請求項４】
前記カバー内に、外部電源から供給された電力により前記バッテリを充電する充電器を備えたことを特徴とする請求項２または３に記載の電気自動車。
【発明の詳細な説明】
【技術分野】
【０００１】
本発明は、電気自動車の制御装置の車体への搭載構造に関する。
【背景技術】
【０００２】
電気モータを走行駆動源とする電気自動車には、バッテリ、電気モータ、制御装置（制御手段）が車両に搭載されている。制御装置は、バッテリから電気モータに駆動電流を供給して作動制御する機能を有しており、高出力用の電気モータと共に大型の構成部品の一つとなっている。
これらの構成部品の車両への搭載位置は種々考えられるが、特に２人乗りの小型の電気自動車では、軽量化と車体の小型化が強く望まれているため、電気モータを左右後輪の間に配置し、電気モータにより後輪を駆動する、所謂ミッドシップレイアウトが好ましい。このようにミッドシップレイアウトにすると、前輪の前に走行駆動源を搭載するフロントシップレイアウト車よりも取廻し性が向上し、またフロントオーバーハングを短縮でき軽量化及び小型化に有利となる。
【０００３】
更に、車室の下方にバッテリを搭載するとともに、電気モータを作動制御する制御装置を電気モータの上方に近接して配置し、制御装置と電気モータとを接続する比較的高価な高電流用の電気ケーブルの全長を抑えるようにした電気自動車が開示されている（特許文献１）。
【先行技術文献】
【特許文献】
【０００４】
【特許文献１】特開２００９−６１９１５号公報
【発明の概要】
【発明が解決しようとする課題】
【０００５】
しかしながら、上記特許文献１のように、左右後輪の間の電気モータの上方に制御装置を配置すると、電気モータの上方の車室内のスペースが減少してしまうといった問題点がある。
本発明は、この様な問題を解決するためになされたもので、その目的とするところは、左右後輪の間に配置された電気モータにより後輪を駆動する電気自動車において、電気モータと制御手段とを近接して配置した上で、車室内のスペースを十分に確保可能とすることにある。
【課題を解決するための手段】
【０００６】
上記の目的を達成するために、請求項１の発明は、バッテリから電力を供給されて、左右後輪の間に配置された電気モータにより後輪を駆動する電気自動車であって、電気モータに電力を供給し電気モータの駆動制御を行う制御手段を、座席の下部のフロアパネル上に配置したことを特徴とする。
また、請求項２の発明は、請求項１において、制御手段を覆うカバーを備え、座席の少なくとも一部がカバー上に載置され、座席が当該カバーによって支持されることを特徴とする。
【０００７】
また、請求項３の発明は、請求項２において、車体の左右下部を前後方向に延びる一対のサイドメンバを備えるとともに、座席の下方で左右方向に延び一対のサイドメンバ間を接続するクロスメンバを備え、制御手段及びカバーの少なくとも一つが、クロスメンバに固定されることを特徴とする。
また、請求項４の発明は、請求項２または３において、バッテリは、制御手段の下方に配置されるとともに、カバー内に、外部電源から供給された電力によりバッテリを充電する充電手段を備えたことを特徴とする。
【発明の効果】
【０００８】
請求項１の発明によれば、電気モータを駆動制御する制御手段を、座席の下部に配置したので、車両のデッドスペースを利用して制御手段を搭載し、車室内のスペースを拡大することができる。特に、左右後輪の間に配置された電気モータにより後輪を駆動する電気自動車において、電気モータの上方に制御手段を設ける必要がないので、電気モータの上方のフロアパネルの位置を下げて車室内のスペースを確保することができる。
【０００９】
更に、左右後輪の間に配置された電気モータにより後輪を駆動する車両では、電気モータと制御手段とを近接して配置することができ、電気モータと制御手段とを接続する電力供給用の電気ケーブルの長さを抑え、部品コストを抑制することができる。
また、制御手段は、フロアパネル上に配置されるので、防水性を確保することができる。
【００１０】
請求項２の発明によれば、制御手段を覆うカバーが座席の支持部材と共用されるので、部品点数を抑制することができる。
請求項３の発明によれば、サイドメンバを連結するクロスメンバに制御手段やカバーが固定されるので、制御手段等の固定用部材を新たに設ける必要がなく、部品点数を更に抑制することができる。
【００１１】
請求項４の発明によれば、バッテリの充電手段を制御手段とともにカバー内に配置したので、比較的大型の電気機器をまとめて、防水性が確保された車両のデッドスペースに搭載し、車室内のスペースを増加させることができる。
【図面の簡単な説明】
【００１２】
【図１】本発明の一実施形態に係る電気自動車の概略内部構成を示す側面図である。
【図２】図１に示す電気自動車の車両前後方向中央部の縦断面図である。
【図３】カバーの形状を示す斜視図である。
【発明を実施するための形態】
【００１３】
以下、本発明の実施の形態を図面に基づき説明する。
図１は、本発明の一実施形態に係る電気自動車の概略内部構成を示す側面図である。図２は、図１に示す電気自動車の車両前後方向中央部の縦断面図である。
図１に示すように、本実施形態の電気自動車(以下、車両１という)は、走行駆動源として、バッテリ２及び電気モータ３を搭載した２人乗りの電気自動車である。
【００１４】
図１、２に示すように、車両１は、ボディ４の骨格部材として、下部にサイドメンバ５、６を備えている。
サイドメンバ５、６は、車両前後方向に延び、左右１個ずつ備えられている。サイドメンバ５、６の前後両端部は図示しないクロスメンバによって夫々連結されている。
サイドメンバ５、６は、フロアパネル１０の下方に配置され、フロアパネル１０を支持する機能を有している。
【００１５】
バッテリ２は、フロアパネル１０の下方に配置されている。バッテリ２は、上記のように、走行駆動用の電気モータ３の電力供給源として大容量のもの、即ち外形の比較的大きなものが採用されており、サイドメンバ５、６の間のスペースを略一杯に使用するような左右幅寸法となっている。
電気モータ３は、左右後輪１１、１２の間に設けられ、車両後部の荷室１３のフロアパネル１０ａの下方に配置されている。
【００１６】
車室１４のフロアパネル１０ｂ上には、左右に座席１５、１６が配置されている。車両１の左右の座席１５、１６の下方には、夫々、車両左右方向に延びるクロスメンバ１７、１８が設けられている。クロスメンバ１７、１８は、車両前後方向に間隔をおいて一対配置されており、左右のサイドメンバ５、６を連結している。
更に、車両には、バッテリ２から電気モータ３に電力を供給し、電気モータ３を作動制御する制御装置２０（制御手段）と、外部電源から電力を供給されてバッテリ２を充電する充電器２１（充電手段）とが搭載されている。充電器２１は、制御装置２０と左右に並べてクロスメンバ１７、１８間のフロアパネル１０ｂ上に配置されている。
【００１７】
制御装置２０及び充電器２１は、夫々略長方体の形状であって、座席１５、１６とフロアパネル１０ｂとの間、かつ前後のクロスメンバ１７、１８の間に、左右に並べて配置され、前後を例えばボルトによってクロスメンバ１７、１８に夫々固定されている。
制御装置２０は、下方のバッテリ２と図示しない高電流用の電気ケーブルで接続されるとともに、電気モータ３と高電流用の電気ケーブル２２で接続されている。
【００１８】
また、制御装置２０及び充電器２１は、カバー２３によって覆われている。
図３は、カバー２３の形状を示す斜視図である。
図３に示すように、カバー２３は、下面が開口した略長方体の形状である。カバー２３の前後側面には、水平方向に突出する鍔部２３ａ、２３ｂが備えられ、鍔部２３ａ、２３ｂには複数のボルト孔２４が設けられている。カバー２３は、鍔部２３ａ、２３ｂが前後のクロスメンバ１７、１８の上面に設置され、図示しないボルトによってクロスメンバ１７、１８に固定される構造となっている。
【００１９】
カバー２３の上壁２３ｃの左右方向中央部には、上面が水平で前後方向に延びる凸部２３ｄが設けられている。凸部２３ｄの内部には、凸部２３ｄの強度を向上させるために、補強板２３ｅが設けられている。また、凸部２３ｄの内側には、上面からボルトが螺合可能なようにナット２３ｆが溶接されている。
図２に示すように、カバー２３は、左右方向中央部が車両左右方向中央部と一致するように、座席１５、１６の下に配置されている。座席１５、１６は、左右両側下端部で支持されており、左右方向外側の下端部が座席１５、１６の前後寸法に合わせてフロアパネル１０から上方に立設した支持ブラケット２５に固定され、左右方向内側の下端部がカバー２３の凸部２３ｄ上に載置され、図示しないボルトでナット２３ｆに螺合してカバー２３に固定されている。したがって、座席１５、１６は、支持ブラケット２５とカバー２３に支持され、車体に固定されている。
【００２０】
以上のような構造により、本実施形態では、電気モータ３を駆動制御する制御装置２０が座席１５、１６の下に配置されているので、車両１のデッドスペースを利用して制御装置２０が配置され、車室１４内のスペースを増加させることができる。特に、特許文献１のように制御装置２０を電気モータ３の上方に配置していないので、電気モータ３の上方の荷室１３のスペースを十分に確保して、積載性を向上させることができる。
【００２１】
本実施形態の車両１のように、小型の電気自動車では、座席１５、１６の下部と左右後輪１１、１２の間とが比較的近接しており、制御装置２０と電気モータ３とを近接して配置させることができる。したがって、制御装置２０と電気モータ３とを接続する高電流用の比較的高価な電気ケーブル２２の長さを抑え、部品コストを抑制することができる。
また、電気モータ３を左右後輪１１、１２の間に配置し、後輪１１、１２を駆動するミッドシップレイアウトであるので、前輪間に電気モータ３を配置し前輪を駆動するフロントシップレイアウトと比較すると、フロントオーバーハングを抑えて車両の軽量化及び小型化を図ることができる。また、後輪駆動とすることで、最小回転半径時での電気モータ３の最大トルクを抑制することができ、電気モータ３を小型化して部品コストを抑制することができる。更に、バッテリ２、電気モータ３、制御装置２０等、比較的大型の構成部品が車両前後方向中央部にまとめられて配置されるので、車両の設計自由度を向上させるとともに、車両の運動性能を向上させることができる。
【００２２】
また、制御装置２０は、フロアパネル１０の上部、即ち車室１４内に配置されているので、防水性能が確保される。したがって、制御装置２０自体に防水機能を持たせる必要がなく、部品コストを低減させることができる。
また、制御装置２０を覆うカバー２３を固定するクロスメンバ１７、１８が左右のサイドメンバ５、６を連結しているので、車体の強度部材の一部となり、車体の剛性を向上させることができる。
【００２３】
また、カバー２３の中央部の凸部２３ｄで座席１５、１６の一部を支持し、カバー２３が座席１５、１６の支持ブラケットを兼ねた構造となっており、車両１の部品点数を少なくすることができる。
また、本実施形態では、カバー２３内に制御手段だけでなく充電器２１も収納されており、比較的大型の電気機器をまとめて、防水性が確保された車両のデッドスペースに搭載し、車室１４内のスペースを増加させることができる。
【００２４】
なお、上記実施形態では、カバー２３の強度を確保するために凸部２３ｄ内に補強板２３ｅを設けているが、その他の方法、例えば凸部２３ｄにビードを設けて強度を向上させてもよい。
また、本発明は上記の実施形態に限定するものではなく、左右後輪の間に配置された電気モータにより後輪を駆動する電気自動車に広く適用することができる。
【符号の説明】
【００２５】
１  車両
２  バッテリ
３  電気モータ
５、６  サイドメンバ
１０  フロアパネル
１５、１６  座席
１７、１８  クロスメンバ
２０  制御装置
２１  充電器
２３  カバー
【図１】
2013159306.tif 000003
【図２】
2013159306.tif 000004
【図３】
2013159306.tif 000005